(57)【要約】  異なる光情報記録媒体に対して情報の記録及び／又は再生を行うために、長期間安定した性能を発揮しながらも光学系の共通化を図ることができる光ピックアップ装置及びプリズムを提供するために、第１光束を透過し、第２光束を反射する第２立ち上げミラーＭ２が第１光束を反射する第１立ち上げミラーＭ１よりも光源に近い配置となっている光学系において、第２立ち上げミラーＭ２で第１光束がわずかに反射されるため、第１光束の強度が高くなると、第２立ち上げミラーＭ２から反射される第１光束の強度も比例して高くなる。そこで、プリズムＰＳにフィルターＦを設け、第１光束が第２立ち上げミラーＭ２から反射されても、フィルターＦにより第２対物レンズへの第１光束の入射を抑制することで、第２対物レンズを従来からＤＶＤ／ＣＤ用対物レンズに用いられているポリオレフィン系のプラスチックで形成しても、その早期劣化を抑制することができる。
2008133106.tif 000002
【特許請求の範囲】
【請求項１】
波長λ１（３８０ｎｍ≦λ１≦４２０ｎｍ）の第１光束を射出する第１光源と、波長λ２（５７０ｎｍ≦λ２≦８２０ｎｍ）の第２光束を射出する第２光源と、前記第１光束を第１光情報記録媒体の情報記録面上に集光する第１対物レンズと、前記第２光束を第２光情報記録媒体の情報記録面上に集光するプラスチック製の第２対物レンズとを有する光ピックアップ装置であって、
前記第２光束を反射して前記第２対物レンズに入射させる第２立ち上げミラーと、
前記第１光束を反射して前記第１対物レンズに入射させる第１立ち上げミラーとを有し、
前記第２立ち上げミラーと前記第２対物レンズとの間に、前記第１光束を反射し、前記第２光束を透過させるフィルターを設けたことを特徴とする光ピックアップ装置。
【請求項２】
前記第１光源から前記第１光情報記録媒体までの前記第１光束の光路と、前記第２光源から前記第２光情報記録媒体までの前記第２光束の光路は、部分的に共通となっており、
前記第２立ち上げミラーは、前記第１光束と前記第２光束の共通光路に配置され、前記第２光束を反射し、前記第１光束を透過し、
前記第１立ち上げミラーは、前記第１光束の専用光路に配置されていることを特徴とする請求の範囲第１項に記載の光ピックアップ装置。
【請求項３】
前記フィルターと前記第２立ち上げミラーとが一体化されていることを特徴とする請求の範囲第１項又は第２項に記載の光ピックアップ装置。
【請求項４】
前記第２対物レンズを構成する材料は、厚さ３ｍｍでの波長４０５ｎｍの光束の透過率が８５％未満であることを特徴とする請求の範囲第１項乃至第３項のいずれかに記載の光ピックアップ装置。
【請求項５】
前記第１対物レンズを構成する材料は、厚さ３ｍｍでの波長４０５ｎｍの光束の透過率が８５％以上であることを特徴とする請求の範囲第１項乃至第４項のいずれかに記載の光ピックアップ装置。
【請求項６】
前記第１対物レンズと前記第２対物レンズは別体であることを特徴とする請求の範囲第１項乃至第５項のいずれかに記載の光ピックアップ装置。
【請求項７】
前記第１対物レンズと第２対物レンズは一体化されていることを特徴とする請求の範囲第１項乃至第５項のいずれかに記載の光ピックアップ装置。
【請求項８】
請求の範囲第３項乃至第７項のいずれかに記載の光ピックアップ装置に用いるプリズムであって、前記第２立ち上げミラーとしての反射面を内部に有し、前記反射面から反射した光束が通過する面に、前記第１光束を反射し前記第２光束を透過させるフィルター膜を成膜したことを特徴とするプリズム。
【発明の詳細な説明】
【技術分野】
【０００１】
本発明は、異なる種類の光情報記録媒体（光ディスクともいう）に対して情報の記録及び／又は再生を行える光ピックアップ装置及びプリズムに関する。
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、そのコンパクト化を更に推進する事が重要である。【０００４】
ここで、特許文献１には、複数の光学素子を用いて高密度光ディスクとＤＶＤ／ＣＤに対して互換可能に情報の記録／再生を行える光ピックアップ装置が開示されている。
【特許文献１】特開２００４−３１９０６２号公報
【発明の開示】
【発明が解決しようとする課題】
【０００５】
しかるに、光ピックアップ装置において、更なる低コスト化とコンパクト化を図るためには、光源から光ディスクまでの光路の共通化を図ることが重要となる。ここで、高密度光ディスク用の青紫色レーザ光とＤＶＤ用の赤色又はＣＤ用の赤外レーザ光とは、波長が異なるので、この波長差を利用することにより入射した光束を選択的に透過／反射させる選択素子も開発されている。このような選択素子を共通の光路内に配置することで、例えば青紫色レーザ光は透過させ、赤色又は赤外レーザ光は反射させるなどして、光束の分岐を行うことができ、それにより高密度光ディスク用の対物レンズには青紫色レーザ光を入射させ、ＤＶＤ／ＣＤ用の対物レンズには赤色又は赤外レーザ光を入射させることができる。【０００６】
ところが、選択素子を用いて、青紫色レーザ光と赤色又は赤外レーザ光とを分岐させた光ピックアップ装置において、長期間の使用によりＤＶＤ／ＣＤの記録／再生に不具合が生じることが確認された。かかる不具合は、同様のＤＶＤ／ＣＤ用対物レンズを、ＤＶＤ／ＣＤのみに対応している光ピックアップ装置に用いた場合には生じていなかったものである。【０００７】
本発明は、かかる従来技術の問題点に鑑みてなされたものであり、青紫色レーザ光を用いる光情報記録媒体を含む異なる光情報記録媒体に対して情報の記録／再生を行うために、長期間安定した性能を発揮しながらも光学系の共通化を図ることができる光ピックアップ装置及びプリズムを提供することを目的とする。
【課題を解決するための手段】
【０００８】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。【０００９】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。【００１０】
請求の範囲第１項に記載の光ピックアップ装置は、波長λ１（３８０ｎｍ≦λ１≦４２０ｎｍ）の第１光束を射出する第１光源と、波長λ２（５７０ｎｍ≦λ２≦８２０ｎｍ）の第２光束を射出する第２光源と、前記第１光束を第１光情報記録媒体の情報記録面上に集光する第１対物レンズと、前記第２光束を第２光情報記録媒体の情報記録面上に集光するプラスチック製の第２対物レンズとを有する光ピックアップ装置であって、
前記第２光束を反射して前記第２対物レンズに入射させる第２立ち上げミラーと、
前記第１光束を反射して前記第１対物レンズに入射させる第１立ち上げミラーとを有し、
前記第２立ち上げミラーと前記第２対物レンズとの間に、前記第１光束を反射し、前記第２光束を透過させるフィルターを設けたことを特徴とする。【００１１】
対物レンズが一般的なＤＶＤ／ＣＤ用プラスチック対物レンズで用いられているのと同様のプラスチック製である場合、青紫色レーザ光が長期間照射されることによって劣化が生じることが知られている。ところが、高密度光ディスクとＤＶＤ／ＣＤに対して互換可能に情報の記録／再生を行う光ピックアップ装置において、本来的に青紫色レーザ光の光路に配置されていないＤＶＤ／ＣＤ用の対物レンズ（第２対物レンズ）に劣化が生じることが確認された。【００１２】
本発明者らは、鋭意研究の結果、例えば構成の簡素化を図るために、高密度光ディスク用の青紫色レーザ光の光路と、ＤＶＤ用の赤色レーザ光又はＣＤ用の赤外レーザ光の光路とを一部共通化した場合、その共通光路を通過した後に選択素子を用いてこれらを分岐した場合でも、相互に数％程度の洩れ光が生じ、ＤＶＤ／ＣＤ用の第２対物レンズに青紫色レーザ光が入射し、これにより劣化が生じることを突き止めたのである。これに対し、ＤＶＤ／ＣＤ用の第２対物レンズをガラス製にすれば、長期間の使用によっても劣化を抑えられ、安定した性能を維持できるが、コスト高を招く。そこで、本発明においては、前記第２立ち上げミラーと前記第２対物レンズとの間に、前記第１光束を反射し、前記第２光束を透過させるフィルターを設けることで、コストと耐久性のバランスを図っているものである。即ち、前記フィルターを用いて、ＤＶＤ／ＣＤ用の第２対物レンズに青紫色レーザ光が入射することを抑制する事により、上述の課題を解決したのである。【００１３】
請求の範囲第２項に記載の光ピックアップ装置は、請求の範囲第１項に記載の発明において、前記第１光源から前記第１光情報記録媒体までの前記第１光束の光路と、前記第２光源から前記第２光情報記録媒体までの前記第２光束の光路は、部分的に共通となっており、前記第２立ち上げミラーは、前記第１光束と前記第２光束の共通光路に配置され、前記第２光束を反射し、前記第１光束を透過し、前記第１立ち上げミラーは、前記第１光束の専用光路に配置されていることを特徴とする。但し、以上に限られず、前記第１立ち上げミラーが前記第１光束と前記第２光束の共通光路に配置されて、前記第１光束を反射し前記第２光束を透過し、且つ前記第２立ち上げミラーが前記第２光束の専用光路に配置されている場合、前記第１光束が前記第１立ち上げミラーを透過してしまうことがあるが、本発明によれば、かかる場合でも、透過した前記第１光束が前記第２立ち上げミラーで反射されて前記第２対物レンズに入射することを有効に抑制できる。【００１４】
請求の範囲第３項に記載の光ピックアップ装置は、請求の範囲第１項又は第２項に記載の発明において、前記フィルターと前記第２立ち上げミラーとが一体化されていることを特徴とするので、コンパクトな光ピックアップ装置を提供できる。【００１５】
請求の範囲第４項に記載の光ピックアップ装置は、請求の範囲第１項乃至第３項のいずれかに記載の発明において、前記第２対物レンズを構成する材料は、厚さ３ｍｍでの波長４０５ｎｍの光束の透過率が８５％未満であることを特徴とする。第２対物レンズを構成する材料は、従来からＤＶＤ／ＣＤ用プラスチック対物レンズで用いられているプラスチック（特に好ましくはポリオレフィン系プラスチック）を好ましく用いることができる。また、第２対物レンズを構成する材料は、厚さ３ｍｍでの波長λ２の第２光束の透過率が８５％以上であることが好ましい。【００１６】
請求の範囲第５項に記載の光ピックアップ装置は、請求の範囲第１項乃至第４項のいずれかに記載の発明において、前記第１対物レンズを構成する材料は、厚さ３ｍｍでの波長４０５ｎｍの光束の透過率が８５％以上であることを特徴とする。第１対物レンズを構成する材料は、ガラスや、青紫色レーザ光に対して高い透過率及び耐性を有するプラスチックが好ましく用いられる。波長４０５ｎｍの光束を２４時間以上連続照射しても、透過率が５％以上低下しないような材料であることがより好ましい。【００１７】
請求の範囲第６項に記載の光ピックアップ装置は、請求の範囲第１項乃至第５項のいずれかに記載の発明において、前記第１対物レンズと前記第２対物レンズは別体であることを特徴とする。【００１８】
請求の範囲第７項に記載の光ピックアップ装置は、請求の範囲第１項乃至第５項のいずれかに記載の発明において、前記第１対物レンズと第２対物レンズは一体化されていることを特徴とする。「第１の対物レンズと第２の対物レンズが一体化されている」とは、第１の対物レンズ及び第２の対物レンズが融合している場合（例えば、第１の対物レンズ及び第２の対物レンズを有する光学素子を二色成形などによる一体成形によって得る場合）や、第１の対物レンズと第２の対物レンズを別々に成形し、後で接着や嵌合させることなどにより一体化させる場合を共に含むものとする。【００１９】
請求の範囲第８項に記載のプリズムは、請求の範囲第３項乃至第７項のいずれかに記載の光ピックアップ装置に用いるプリズムであって、前記第２立ち上げミラーとしての反射面を内部に有し、前記反射面から反射した光束が通過する面に、前記第１光束を反射し前記第２光束を透過させるフィルター膜を成膜したことを特徴とする。このようなプリズムを用いることで、前記第２立ち上げミラーに対して前記第２対物レンズを接近させることが出来、更に光ピックアップ装置のコンパクト化を図ることができる。【００２０】
第１光情報記録媒体としては、ＢＤ又はＨＤが好ましい。第２光情報記録媒体としては、ＤＶＤ又はＣＤが好ましい。従って、第１対物レンズは、ＢＤ又はＨＤ専用もしくは互換用であると好ましく、第２対物レンズは、ＤＶＤ又はＣＤ専用もしくは、それらの互換用であると好ましい。【００２１】
本明細書中において、第１、第２対物レンズの各対物レンズにおける対物レンズとは、狭義には光ピックアップ装置に光情報記録媒体を装填した状態において、最も光情報記録媒体側の位置で、これと対向すべく配置される集光作用を有するレンズを指し、広義にはそのレンズと共に、アクチュエータによって少なくともその光軸方向に作動可能なレンズ群を指すものとする。
【発明の効果】
【００２２】
本発明によれば、異なる光情報記録媒体に対して情報の記録／再生を行うために、長期間安定した性能を発揮しながらも光学系の共通化を図ることができる光ピックアップ装置及びプリズムを提供することができる。
【図面の簡単な説明】
【００２３】
【図１】光ピックアップ装置ＰＵ１の概略構成を示す斜視図である。
【図２】光ピックアップ装置ＰＵ１の概略構成を示す平面図である。
【図３】本実施の形態に係る光ピックアップ装置ＰＵ１のプリズムＰＳに設けたダイクロイック膜の分光透過率の一例を示す図である。
【図４】第１対物レンズと第２対物レンズの変形例を示す斜視図である。
【図５】第１対物レンズと第２対物レンズの別な変形例を示す斜視図である。
【図６】第１対物レンズと第２対物レンズの変形例を示す図である。
【符号の説明】
【００２４】
ＣＯＬ  コリメートレンズ
ＣＴ２  切欠
ＤＰ  ダイクロイックプリズム
Ｆ  フィルター
ＦＬ１  フランジ部
ＦＬ２  フランジ部
ＨＬ  開口
ＨＬ２  開口
ＬＤ１  半導体レーザ
ＬＤ２  半導体レーザ
Ｍ１  第１立ち上げミラー
Ｍ２  第２立ち上げミラー
ＯＢＪ１  第１対物レンズ
ＯＢＪ２  第２対物レンズ
ＯＥ  一体型光学素子
ＰＢＳ  偏光ビームスプリッタ
ＰＤ  光検出器
ＰＳ  プリズム
ＰＵ１  光ピックアップ装置
ＱＷＰ  λ／４波長板
ＳＴ  段差部
ＳＴ２  段差部
【発明を実施するための最良の形態】
【００２５】
以下、本発明の実施の形態について図面を用いて説明する。尚、本実施の形態にかかる光ピックアップ装置ＰＵ１は、特に薄形の光ディスクドライブ装置に組み込むことが可能である。図１は、ＢＤ及びＤＶＤに対して情報の記録／再生が可能な光ピックアップ装置ＰＵ１の概略構成を示す斜視図である。図２は、光ピックアップ装置ＰＵ１を平面的に示した図である。【００２６】
光ピックアップ装置ＰＵ１は、２つの立ち上げミラーＭ１，Ｍ２を有している。第２立ち上げミラーＭ２は、半導体レーザＬＤ１から出射される第１光束と半導体レーザＬＤ２から出射される第２光束の共通光路に配置され、ダイクロイック膜を被覆した反射面で第２光束を反射し、第１光束を透過する。【００２７】
ここでは、第２立ち上げミラーＭ２は、立方体状のプリズムＰＳの内部に形成された斜面からなる。半導体レーザＬＤ２から出射された光束が、プリズムＰＳに入射し、第２立ち上げミラーＭ２で反射された後、プリズムＰＳの上面から出射するが、その上面には、第１光束を反射し第２光束を通過させるダイクロイック膜が被覆されている。即ち、プリズムＰＳの上面がフィルターＦを構成する。【００２８】
図３は、本実施の形態に係る光ピックアップ装置ＰＵ１のプリズムＰＳに設けたダイクロイック膜の分光透過率の一例を示す図である。横軸が波長であり、縦軸が透過率である。【００２９】
図３に示すように、波長λ１（３８０ｎｍ≦λ１≦４２０ｎｍ）の第１光束の波長領域においては、ダイクロイック膜の透過率は１３％以下である。このため、第２立ち上げミラーＭ２で僅かに反射される第１光束のうちの大部分は、このダイクロイック膜で反射され、第２対物レンズＯＢＪ２に入射する第１光束は、極めて微量となる。また、波長λ２（５７０ｎｍ≦λ２≦８２０ｎｍ）の第２光束の波長領域においては、ダイクロイック膜の透過率は９３％以上であり、第２光束の光量損失はほとんどない。【００３０】
一方、第１立ち上げミラーＭ１は、第１光束の専用光路に配置され、第２立ち上げミラーＭ２を透過した第１光束を反射面で反射する。【００３１】
第２対物レンズＯＢＪ２を構成する材料は従来からＤＶＤ／ＣＤ用対物レンズで用いられているポリオレフィン系のプラスチックであり、厚さ３ｍｍでの波長４０５ｎｍの光束の透過率が８５％未満であり、厚さ３ｍｍでの波長６５５ｎｍの光束の透過率が８５％以上である。一方、第１対物レンズＯＢＪ１を構成する材料は、厚さ３ｍｍでの波長４０５ｎｍの光束の透過率が８５％以上であって、青紫色レーザー光に対して耐性を有するプラスチックである。本実施の形態では、第１対物レンズＯＢＪ１と第２対物レンズＯＢＪ２とは別体である。尚、ダイクロイックプリズムＤＰから第２立ち上げミラーＭ２までが共通光路であり、第２立ち上げミラーＭ２から光ディスクまでが第２光束の専用光路となる。尚、第２対物レンズＯＢＪ２の位置は、光ディスクを装填した状態で光ピックアップ装置をディスク盤面に対して垂直方向から見た際に、光ディスクの中心と第２対物レンズの中心を結んだ線が、第２立ち上げミラーまでの光束の光路と直交するような位置であることが好ましい。即ち、図２において、第２対物レンズＯＢＪ２の位置が、ちょうどディスクの中央に相当する位置であることが好ましい。【００３２】
図１、２において、ＢＤに対して情報の記録／再生を行う場合、第１光源としての半導体レーザＬＤ１（波長λ１；３８０ｎｍ≦λ１≦４２０ｎｍ、本実施例では４０５ｎｍ）を発光させる。半導体レーザＬＤ１から出射された光束は、ダイクロイックプリズムＤＰを通過し、偏光ビームスプリッタＰＢＳを通過し、コリメートレンズＣＯＬを通過して平行光束となり、λ／４波長板ＱＷＰを通過して、プリズムＰＳ内の第２立ち上げミラーＭ２を通過し、第１立ち上げミラーＭ１で反射されて、第１対物レンズ部ＯＢＪ１により集光されて、ＢＤの保護層（厚さｔ１；０．０３ｍｍ≦ｔ１≦０．１３ｍｍ、本実施例では０．１ｍｍ）を介してその情報記録面に集光されここに集光スポットを形成する。【００３３】
そして情報記録面で情報ピットにより変調されて反射した光束は、再び第１対物レンズ部ＯＢＪ１を通過し、第１立ち上げミラーＭ１で反射され、プリズムＰＳ内の第２立ち上げミラーＭ２、λ／４波長板ＱＷＰ、コリメートレンズＣＯＬを通過して、偏光ビームスプリッタＰＢＳで反射され、光検出器ＰＤの受光面に入射するので、その出力信号を用いて、ＢＤに対して情報の記録／再生を行うことができる。【００３４】
一方、ＤＶＤに対して情報の記録／再生を行う場合、第２光源としての半導体レーザＬＤ２（波長λ２；５５０ｎｍ≦λ２≦６８０ｎｍ、本実施例では６５５ｎｍ）を発光させる。半導体レーザＬＤ２から出射された光束は、ダイクロイックプリズムＤＰで反射され、偏光ビームスプリッタＰＢＳを通過し、コリメートレンズＣＯＬを通過して平行光束となり、λ／４波長板ＱＷＰを通過して、プリズムＰＳ内の第２立ち上げミラーＭ２で反射されて、第２対物レンズ部ＯＢＪ２により集光されて、ＤＶＤの保護層（厚さｔ２；０．５ｍｍ≦ｔ２≦０．７ｍｍ、本実施例では０．６ｍｍ）を介し、その情報記録面に集光されここに集光スポットを形成する。【００３５】
そして情報記録面で情報ピットにより変調されて反射した光束は、再び第２対物レンズ部ＯＢＪ２を通過し、プリズムＰＳ内の第２立ち上げミラーＭ２で反射され、λ／４波長板ＱＷＰ、コリメートレンズＣＯＬを通過して、偏光ビームスプリッタＰＢＳで反射され、光検出器ＰＤの受光面に入射するので、その出力信号を用いて、ＤＶＤに対して情報の記録／再生を行うことができる。【００３６】
第２立ち上げミラーＭ２で第１光束は透過され、第２光束は反射されるが、第１光束の一部は第２立ち上げミラーＭ２で反射されてしまう。本実施の形態によれば、光路における位置に関して、第２立ち上げミラーＭ２の方が第１立ち上げミラーＭ１よりも光源に近く、ここに高い強度の第１光束が入射するようになっている。従って、第２立ち上げミラーＭ２から反射されてしまう第１光束の量も、それに比例して多くなる。しかしながら、このような第１光束が、第２立ち上げミラーＭ２から反射された場合でも、プリズムＰＳのフィルターＦが第１光束の透過を抑制するので、第２対物レンズＯＢＪ２には、第１光束が殆ど入射することがなくなり、第２対物レンズＯＢＪ２を、従来からＤＶＤ／ＣＤ用対物レンズに用いられているポリオレフィン系のプラスチックで形成しても、その早期劣化を抑制することができる。【００３７】
以上の例では、第１対物レンズＯＢＪ１がＢＤ専用であり、第２対物レンズＯＢＪ２がＤＶＤ専用であるが、かかる組み合わせに限られない。第１対物レンズＯＢＪ１をＨＤ専用としても良く、或いはＢＤ／ＨＤ互換用としても良い。又、第２対物レンズＯＢＪ２をＣＤ専用としても良く、或いはＤＶＤ／ＣＤ互換用としても良い。この場合、第２対物レンズＯＢＪ２の光学面に光路差付与構造としての回折構造を設け、且つ半導体レーザＬＤ２を２レーザ１パッケージとして、波長λ３（７５０ｎｍ≦λ３≦８２０ｎｍ）の光束も出射できる第３光源を更に備えるようにすると好ましい。【００３８】
更に、本実施の形態では、第１対物レンズＯＢＪ１と第２対物レンズＯＢＪ２とを別体としているが、嵌合や接着等により一体化しても良い。例えば、図４に示すように、第２対物レンズＯＢＪ２は、矩形板状のフランジ部ＦＬ２を有していてよい。かかる場合、フランジ部ＦＬ２に形成された開口ＨＬの段差部ＳＴに、フランジ部ＦＬ１が保持されるようにして、別個に成形された第１の対物レンズＯＢＪ１が組み合わされる。第１対物レンズＯＢＪ１と第２対物レンズＯＢＪ２の有効径は、互いに略等しいことが望ましい。【００３９】
或いは、図５に示すように、第２対物レンズＯＢＪ２が、その矩形板状のフランジ部ＦＬ２に段差部ＳＴ２を有する切欠ＣＴ２を形成していても良い。かかる場合、切欠ＣＴ２内の段差部ＳＴ２に、フランジ部ＦＬ１を保持されるようにして、第１対物レンズＯＢＪ１が光軸直交方向から組み付けられ、接着等により一体化されて、第１対物レンズＯＢＪ１と第２対物レンズＯＢＪ２が並列になった一体型光学素子ＯＥを形成できる。【００４０】
また、図６に示すように、開口ＨＬ２又は切欠ＣＴ２内に段差部ＳＴ２を形成することなく、第１の対物レンズＯＢＪ１のフランジ部ＦＬ１は、フランジ部ＦＬ２の上面で支持されても良い。或いは、図示していないが、第１対物レンズＯＢＪ１と第２対物レンズＯＢＪ２とを、別部材である保持部材（図４のフランジ部ＦＬ２と同様な矩形板状）に組み付けることで一体化しても良い。何れの場合も、保持部材が開口を有し、そこに対物レンズを嵌め込むように配置する事が好ましい。【００４１】
以上、本発明を実施の形態を参照して説明してきたが、本発明は上記実施の形態に限定して解釈されるべきではなく、適宜変更・改良が可能であることはもちろんである。尚、第１の立ち上げミラーをプリズム形状にしても良く、第２の立ち上げミラーを含むプリズムの面にダイクロイック膜を設ける代わりに、第２の立ち上げミラーと第２対物レンズとの間に、別体のダイクロイックフィルターを設けてもよいし、第２対物レンズの光源側の光学面にダイクロイック膜を設けてもよい。
【図３】
2008133106.tif 000003
【図１】
2008133106.tif 000004
【図２】
2008133106.tif 000005
【図４】
2008133106.tif 000006
【図５】
2008133106.tif 000007
【図６】
2008133106.tif 000008
【国際調査報告】
2008133106.tif 000009
2008133106.tif 000010
2008133106.tif 000011
2008133106.tif 000012